【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
白色のスポット光を発生する光源と、
前記光源からのスポット光を時分割に色分割する色分割手段と、
前記色分割された各々の分割色を画像信号で空間光変調する空間光変調手段と、
前記空間光変調手段によって変調された光を投影する投影手段と、
前記空間光変調手段に与える画像信号を前記色分割手段の色分割に同期させて選択する画像信号選択手段とを備え、
前記色分割手段は、光の三原色の各々に対応する三つの大面積分光領域と、両端に光の三原色のいずれかに対応した小面積分光領域をもつ白色光に対応する分光領域とを有することを特徴とする投影型表示装置。
【請求項２】
前記小面積分光領域は、隣接する前記大面積分光領域に対応する光の三原色以外の光の三原色のいずれかに対応することを特徴とする請求項１記載の投影型表示装置。
【請求項３】
前記色分割手段は、カラーホイールであることを特徴とする請求項１乃至２記載の投影型表示装置。
【請求項４】
白色のスポット光を発生する光源と、
前記光源からのスポット光を時分割に色分割する色分割手段と、
前記色分割された各々の分割色を画像信号で空間光変調する空間光変調手段と、
前記空間光変調手段によって変調された光を投影する投影手段と、
前記空間光変調手段に与える画像信号を前記色分割手段の色分割に同期させて選択する画像信号選択手段とを備え、
前記色分割手段は、光の三原色の各々に対応する三つの大面積分光領域と、両端に光の三原色のいずれかに対応した小面積分光領域をもつ白色光に対応する分光領域とを有するものであって、
且つ、前記画像信号選択手段は、
前記色分割手段の色分割が、任意の大面積分光領域によって行われている間は、その大面積分光領域に対応した色情報の画像信号を選択すると共に、任意の大面積分光領域から他の大面積分光領域へと切り替わる際は、その切り替え前後の所定時間の間、輝度情報の画像信号を選択し、
また、前記色分割手段の色分割が、前記白色光に対応する分光領域によって行われている間は、大面積分光領域から小面積分光領域へと切り替わる際のその切替前から小面積分光領域から大面積分光領域へと切り替わる際のその切替後までの所定時間の間、輝度情報の画像信号を選択することを特徴とする投影型表示装置。
【請求項５】
前記色分割手段の色分割が任意の大面積分光領域から他の大面積分光領域へと切り替わる際のその切り替え前後の所定時間は、前記大面積分光領域の境界線が前記光源の発生する白色のスポット光を通過する間の時間であることを特徴とする請求項４記載の投影型表示装置。
【請求項６】
白色のスポット光を時分割に色分割する色分割工程と、
前記色分割された各々の分割色を画像信号で空間光変調する空間光変調工程と、
前記空間光変調工程によって変調された光を投影する投影工程と、
前記空間光変調工程に与える画像信号を前記色分割工程の色分割タイミングに同期させて選択する画像信号選択工程とを備え、
前記色分割工程は、光の三原色の各々に対応する三つの大面積分光領域と、両端に光の三原色のいずれかに対応した小面積分光領域をもつ白色光に対応する分光領域とを有するカラーホイールを用いて実行されることを特徴とする表示制御方法。
【請求項７】
白色のスポット光を時分割に色分割する色分割工程と、
前記色分割された各々の分割色を画像信号で空間光変調する空間光変調工程と、
前記空間光変調工程によって変調された光を投影する投影工程と、
前記空間光変調工程に与える画像信号を前記色分割工程の色分割タイミングに同期させて選択する画像信号選択工程とを備え、
前記色分割工程は、光の三原色の各々に対応する三つの大面積分光領域と、両端に光の三原色のいずれかに対応した小面積分光領域をもつ白色光に対応する分光領域とを有するカラーホイールを用いて実行されるものであって、
且つ、前記画像信号選択工程は、前記色分割工程の色分割が、任意の大面積分光領域によって行われている間は、その大面積分光領域に対応した色情報の画像信号を選択すると共に、任意の大面積分光領域から他の大面積分光領域へと切り替わる際は、その切り替え前後の所定時間の間、輝度情報の画像信号を選択し、
また、前記色分割工程の色分割が、前記白色光に対応する分光領域によって行われている間は、大面積分光領域から小面積分光領域へと切り替わる際のその切替前から小面積分光領域から大面積分光領域へと切り替わる際のその切替後までの所定時間の間、輝度情報の画像信号を選択することを特徴とする表示制御方法。
【手続補正２】
【補正対象書類名】明細書
【補正対象項目名】００２８
【補正方法】変更
【補正の内容】
【００２８】
請求項１記載の発明は、白色のスポット光を発生する光源と、前記光源からのスポット光を時分割に色分割する色分割手段と、前記色分割された各々の分割色を画像信号で空間光変調する空間光変調手段と、前記空間光変調手段によって変調された光を投影する投影手段と、前記空間光変調手段に与える画像信号を前記色分割手段の色分割に同期させて選択する画像信号選択手段とを備え、前記色分割手段は、光の三原色の各々に対応する三つの大面積分光領域と、両端に光の三原色のいずれかに対応した小面積分光領域をもつ白色光に対応する分光領域とを有することを特徴とする投影型表示装置である。
ここで、「白色のスポット光」とは、少なくとも可視光領域の波長の光を含む細く絞り込まれた光束のことをいう。この光束は、平行光であることが望ましいが、実用上は、光源から色分割手段を経て空間光変調手段に至る短い距離の間でスポットを維持できるものであれば、多少の広がりをもった光束であっても構わない。また、「空間光変調手段」とは、上記のスポット光を画像信号の画素情報に応じて変調するものであり、たとえば、ＤＭＤや液晶デバイスなどである。
請求項２記載の発明は、前記小面積分光領域は、隣接する前記大面積分光領域に対応する光の三原色以外の光の三原色のいずれかに対応することを特徴とする請求項１記載の投影型表示装置である。
請求項３記載の発明は、前記色分割手段は、カラーホイールであることを特徴とする請求項１乃至２記載の投影型表示装置である。
請求項４記載の発明は、白色のスポット光を発生する光源と、前記光源からのスポット光を時分割に色分割する色分割手段と、前記色分割された各々の分割色を画像信号で空間光変調する空間光変調手段と、前記空間光変調手段によって変調された光を投影する投影手段と、前記空間光変調手段に与える画像信号を前記色分割手段の色分割に同期させて選択する画像信号選択手段とを備え、前記色分割手段は、光の三原色の各々に対応する三つの大面積分光領域と、両端に光の三原色のいずれかに対応した小面積分光領域をもつ白色光に対応する分光領域とを有するものであって、且つ、前記画像信号選択手段は、前記色分割手段の色分割が、任意の大面積分光領域によって行われている間は、その大面積分光領域に対応した色情報の画像信号を選択すると共に、任意の大面積分光領域から他の大面積分光領域へと切り替わる際は、その切り替え前後の所定時間の間、輝度情報の画像信号を選択し、また、前記色分割手段の色分割が、前記白色光に対応する分光領域によって行われている間は、大面積分光領域から小面積分光領域へと切り替わる際のその切替前から小面積分光領域から大面積分光領域へと切り替わる際のその切替後までの所定時間の間、輝度情報の画像信号を選択することを特徴とする投影型表示装置である。
請求項５記載の発明は、前記色分割手段の色分割が任意の大面積分光領域から他の大面積分光領域へと切り替わる際のその切り替え前後の所定時間は、前記大面積分光領域の境界線が前記光源の発生する白色のスポット光を通過する間の時間であることを特徴とする請求項４記載の投影型表示装置である。
請求項６記載の発明は、白色のスポット光を時分割に色分割する色分割工程と、前記色分割された各々の分割色を画像信号で空間光変調する空間光変調工程と、前記空間光変調工程によって変調された光を投影する投影工程と、前記空間光変調工程に与える画像信号を前記色分割工程の色分割タイミングに同期させて選択する画像信号選択工程とを備え、前記色分割工程は、光の三原色の各々に対応する三つの大面積分光領域と、両端に光の三原色のいずれかに対応した小面積分光領域をもつ白色光に対応する分光領域とを有するカラーホイールを用いて実行されることを特徴とする表示制御方法である。
請求項７記載の発明は、白色のスポット光を時分割に色分割する色分割工程と、前記色分割された各々の分割色を画像信号で空間光変調する空間光変調工程と、前記空間光変調工程によって変調された光を投影する投影工程と、前記空間光変調工程に与える画像信号を前記色分割工程の色分割タイミングに同期させて選択する画像信号選択工程とを備え、前記色分割工程は、光の三原色の各々に対応する三つの大面積分光領域と、両端に光の三原色のいずれかに対応した小面積分光領域をもつ白色光に対応する分光領域とを有するカラーホイールを用いて実行されるものであって、且つ、前記画像信号選択工程は、前記色分割工程の色分割が、任意の大面積分光領域によって行われている間は、その大面積分光領域に対応した色情報の画像信号を選択すると共に、任意の大面積分光領域から他の大面積分光領域へと切り替わる際は、その切り替え前後の所定時間の間、輝度情報の画像信号を選択し、また、前記色分割工程の色分割が、前記白色光に対応する分光領域によって行われている間は、大面積分光領域から小面積分光領域へと切り替わる際のその切替前から小面積分光領域から大面積分光領域へと切り替わる際のその切替後までの所定時間の間、輝度情報の画像信号を選択することを特徴とする表示制御方法である。